【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
複数の送信アンテナと、
少なくとも下り制御情報の復調に用いられる第１の参照信号と、前記送信アンテナ毎に生成されチャネル品質の測定に用いられる第２の参照信号と、ストリーム毎に生成され下り送信データの復調に用いられる第３の参照信号とを生成する下り参照信号生成部と、
前記第１及び第３の参照信号を送信時間単位としてのサブフレームに配置して各アンテナから送信すると共に、前記第２の参照信号を特定サブフレームに配置して前記各アンテナから送信する送信部と、
を具備し、さらに、
前記送信部は、あるタイミングでは１サブフレーム内に前記第１の参照信号を第１の密度で配置し、別のタイミングでは１サブフレーム内に前記第１の参照信号を第１の密度よりも低い第２の密度で配置し、前記第１の参照信号が第２の密度で配置されたサブフレームを認識するためのサブフレーム情報を移動局装置へシグナリングすることを特徴とする無線基地局装置。
【請求項２】
前記第２の参照信号が周波数分割多重されると共に符号分割多重されて前記特定サブフレームの複数シンボルに配置されることを特徴とする請求項１記載の無線基地局装置。
【請求項３】
マルチストリーム伝送の場合、各ストリームに含まれる前記第３の参照信号がストリーム間で直交化するように、各ストリームに含まれる前記第３の参照信号に対して２次元直交符号をそれぞれ掛けて符号化することを特徴とする請求項１記載の無線基地局装置。
【請求項４】
前記第３の参照信号の系列情報と前記第３の参照信号の符号化に用いられる２次元直交符号の情報とが、移動局装置へシグナリングされることを特徴とする請求項３記載の無線基地局装置。
【請求項５】
無線基地局装置からサブフレーム毎に送信される、下り制御情報の復調に用いられる第１の参照信号、及びストリーム毎に生成され各ストリームの下り送信データの復調に用いられる第３の参照信号を、受信し、前記無線基地局装置から特定サブフレームで送信される、送信アンテナ毎に生成されチャネル品質の測定に用いられる第２の参照信号、並びに前記第１及び第３の参照信号を、受信する受信部と、
前記受信部で受信した前記第１、第２及び第３の参照信号を、下りリンク信号から分離する分離部と、
前記第１の参照信号を用いて下り制御情報を復調する制御情報復調部と、
前記第２の参照信号を用いて送信アンテナ毎のチャネル品質を測定する測定部と、
前記第３の参照信号を用いて下り送信データを復調するデータ復調部と、
を具備し、
前記受信部は、あるタイミングでは１サブフレーム内に前記第１の参照信号が第１の密度で配置されたサブフレームを受信し、別のタイミングでは１サブフレーム内に前記第１の参照信号が第１の密度よりも低い第２の密度で配置されたサブフレームを受信し、さらに前記第１の参照信号が第２の密度で配置されたサブフレームを認識するためのサブフレーム情報を受信し、
前記サブフレーム情報に基づいて前記第１の参照信号が第２の密度で配置されたサブフレームを特定する、
ことを特徴とする移動局装置。
【請求項６】
前記受信部は、前記特定サブフレームの複数シンボルに周波数分割多重されると共に符号分割多重された前記第２の参照信号を受信することを特徴とする請求項５記載の移動局装置。
【請求項７】
前記受信部は、ストリーム間で直交化するように２次元直交符号によってそれぞれ符号化された、各ストリームに含まれる前記第３の参照信号を受信することを特徴とする請求項５記載の移動局装置。
【請求項８】
前記第３の参照信号の系列情報と前記第３の参照信号の符号化に用いられる２次元直交符号の情報とが前記無線基地局装置からシグナリングされることを特徴とする請求項７記載の移動局装置。
【請求項９】
少なくとも下り制御情報の復調に用いられる第１の参照信号と、前記送信アンテナ毎に生成されチャネル品質の測定に用いられる第２の参照信号と、ストリーム毎に生成され下り送信データの復調に用いられる第３の参照信号とを生成するステップと、
前記第１及び第３の参照信号を送信時間単位としてのサブフレームに配置して各アンテナから送信すると共に、前記第２の参照信号を特定サブフレームに配置して前記各アンテナから送信するステップと、を具備し、
あるタイミングでは１サブフレーム内に前記第１の参照信号を第１の密度で配置し、別のタイミングでは１サブフレーム内に前記第１の参照信号を第１の密度よりも低い第２の密度で配置し、前記第１の参照信号が第２の密度で配置されたサブフレームを認識するためのサブフレーム情報を移動局装置へシグナリングすることを特徴とする無線通信方法。
【請求項１０】
無線基地局装置からサブフレーム毎に送信される、下り制御情報の復調に用いられる第１の参照信号、及びストリーム毎に生成され各ストリームの下り送信データの復調に用いられる第３の参照信号を、受信し、前記無線基地局装置から特定サブフレームで送信される、送信アンテナ毎に生成されチャネル品質の測定に用いられる第２の参照信号を、受信するステップと、
前記受信した前記第１、第２及び第３の参照信号を、下りリンク信号から分離するステップと、
前記第１の参照信号を用いて下り制御情報を復調するステップと、
前記第２の参照信号を用いて送信アンテナ毎のチャネル品質を測定するステップと、
前記第３の参照信号を用いて下り送信データを復調するステップと、を具備し、
あるタイミングでは１サブフレーム内に前記第１の参照信号が第１の密度で配置されたサブフレームを受信し、別のタイミングでは１サブフレーム内に前記第１の参照信号が第１の密度よりも低い第２の密度で配置されたサブフレームを受信し、さらに前記第１の参照信号が第２の密度で配置されたサブフレームを認識するためのサブフレーム情報を受信し、
前記サブフレーム情報に基づいて前記第１の参照信号が第２の密度で配置されたサブフレームを特定する、ことを特徴とする無線通信方法。
【請求項１１】
無線基地局装置と、前記無線基地局装置に接続する移動局装置とを備えた無線通信システムにおいて、
前記無線基地局装置は、
複数の送信アンテナと、
少なくとも下り制御情報の復調に用いられる第１の参照信号と、前記送信アンテナ毎に生成されチャネル品質の測定に用いられる第２の参照信号と、ストリーム毎に生成され下り送信データの復調に用いられる第３の参照信号とを生成する下り参照信号生成部と、
前記第１及び第３の参照信号を送信時間単位としてのサブフレームに配置して各アンテナから送信すると共に、前記第２の参照信号を特定サブフレームに配置して前記各アンテナから送信する送信部と、
を具備し、さらに、
前記送信部は、あるタイミングでは１サブフレーム内に前記第１の参照信号を第１の密度で配置し、別のタイミングでは１サブフレーム内に前記第１の参照信号を第１の密度よりも低い第２の密度で配置し、前記第１の参照信号が第２の密度で配置されたサブフレームを認識するためのサブフレーム情報を移動局装置へシグナリングし、
前記移動局装置は、
前記無線基地局装置からサブフレーム毎に送信される前記第１の参照信号及び前記第３の参照信号を受信し、前記無線基地局装置から特定サブフレームで送信される前記第２の参照信号を受信する受信部と、
前記受信部で受信した前記第１、第２及び第３の参照信号を、下りリンク信号から分離する分離部と、
前記第１の参照信号を用いて下り制御情報を復調する制御情報復調部と、
前記第２の参照信号を用いて送信アンテナ毎のチャネル品質を測定する測定部と、
前記第３の参照信号を用いて下り送信データを復調するデータ復調部と、
を具備し、
前記受信部は、あるタイミングでは１サブフレーム内に前記第１の参照信号が第１の密度で配置されたサブフレームを受信し、別のタイミングでは１サブフレーム内に前記第１の参照信号が第１の密度よりも低い第２の密度で配置されたサブフレームを受信し、さらに前記第１の参照信号が第２の密度で配置されたサブフレームを認識するためのサブフレーム情報を受信し、
前記サブフレーム情報に基づいて前記第１の参照信号が第２の密度で配置されたサブフレームを特定する、ことを特徴とする無線通信システム。
【手続補正２】
【補正対象書類名】明細書
【補正対象項目名】発明の名称
【補正方法】変更
【補正の内容】
【発明の名称】無線基地局装置、移動局装置、無線通信方法及び無線通信システム
【手続補正３】
【補正対象書類名】明細書
【補正対象項目名】０００１
【補正方法】変更
【補正の内容】
【０００１】
本発明は、下りリンク参照信号（リファレンス・シグナル）を送信する無線基地局装置、移動局装置、無線通信方法及び無線通信システムに関する。